(57)【要約】      （修正有）【課題】密閉構造の畜舎内の下方空間の換気構造を簡易なものとした畜舎を提供する。【解決手段】樹脂製の筒状筐体６２と、下方に糞尿溜め空間６７が形成されるように筒状筐体６２内に水平状に設置され、家畜の糞尿の落下孔を形成した家畜載置用の床材６５と、筒状筐体６２の上部に取り付けられ、舎内の空気を外部に排出する防雨カバー７０の背後に設置された換気扇とを備えた畜舎であって、一端が糞尿溜め空間６７に臨み、他端が該換気扇に臨む換気管７４を設ける。【選択図】図１
0003148455.tif 000002
【実用新案登録請求の範囲】
【請求項１】
樹脂製の筐体と、
下方に糞尿溜め空間が形成されるように前記筐体内に水平状に設置され、家畜の糞尿の落下孔を形成した家畜載置用の床材と、
前記筐体の上部に取り付けられ、舎内の空気を外部に排出する換気扇と、
を備えた畜舎であって、
一端が前記糞尿溜め空間に臨み、他端が前記換気扇に臨む換気管を設けたことを特徴とする畜舎。
【請求項２】
舎内側の壁面において、前記換気扇を囲うとともに狭小の開口部を有した囲い空間を設けてこの囲い空間における空気の流れを速くし、
前記換気管の他端を前記囲い空間に臨ませたことを特徴とする請求項１に記載の畜舎。
【請求項３】
前記囲い空間の開口部の開口面積を調節可能な調整板を着脱自在に設けたことを特徴とする請求項１または請求項２に記載の畜舎。
【請求項４】
前記換気管は樹脂製からなり、前記糞尿溜め空間から畜舎の外部を迂回して前記換気扇に臨むように配管されていることを特徴とする請求項１ないし請求項３のいずれか一項に記載の畜舎。
【請求項５】
汚水を浄化する濾材層と、前記濾材層の上方に設けられ、前記濾材層に汚水を散水する散水装置とを内蔵した浄化処理室を有し、前記濾材層を通過して槽の底部に溜まった汚水を前記散水装置まで循環送水する構成からなる汚水処理槽であって、
槽の筐体には、前記濾材層の上方に位置する上部ダクト口と、前記濾材層の下方でかつ槽の底部に溜まった汚水の水面よりも上方に位置する下部ダクト口とを介して前記浄化処理室に連通し、ダクトファンを内蔵したダクト通路が画成され、
前記ダクトファンにより前記浄化処理室と前記ダクト通路との間で循環送気して汚水を好気処理する構成の汚水処理槽が並設されることを特徴とする請求項１ないし請求項４のいずれか一項に記載の畜舎。
【請求項６】
前記浄化処理室において空気を前記濾材層の下方から上方へ流すように循環送気することを特徴とする請求項５に記載の畜舎。
【請求項７】
前記浄化処理室は、縦置きで使用される円筒筐体の内部空間から構成され、
前記ダクト通路を形成するダクト筐体は、前記円筒筐体が横置きされた際に転がらないように前記円筒筐体の位置決め台座として機能することを特徴とする請求項５または請求項６に記載の畜舎。
【考案の詳細な説明】
【技術分野】
【０００１】
本考案は、特に豚舎として好適な畜舎に関する。
【背景技術】
【０００２】
ウィンドウレスタイプの豚舎に関する従来技術として本出願人が出願した特許文献１が挙げられる。このタイプは換気部を除くとほぼ密閉構造となるため舎内の保温性に優れ、寒気に弱い子豚用の豚舎に適している。特許文献１に記載の豚舎は筐体がＦＲＰなどの樹脂製部材として構成され、設備費用が安価になる、糞尿の清掃が容易になる、糞尿から発生する硫化水素ガスやアンモニアガスなどに対する耐腐食性に優れる、等の効果が奏される。
【０００３】
糞尿から発生する硫化水素ガスやアンモニアガスなどは豚舎内の下方空間に淀みやすいため、豚舎内外の換気構造としては特にこの下方空間の排気が効率的に行われる構造が望ましく、特許文献１には、筐体の内壁面を支持する補強部材に換気ダクトの機能を兼ねさせ、床材の下方から補強部材内を通して外部に排気する技術が記載されている。
【０００４】
また、畜舎から排出される糞尿などの汚水の処理に関して、濾材層に汚水を散水して浄化処理する汚水処理槽の従来技術として、特許文献２、３に記載のものが挙げられる。特許文献１には、槽の底部に含酸素気体を供給して汚水を好気処理する技術が記載されている。
【特許文献１】登録実用新案公報第３１４３１５４号
【特許文献２】実開平５−９５６３２号公報
【特許文献３】特開平８−１０７８２号公報
【考案の開示】
【考案が解決しようとする課題】
【０００５】
特許文献１の技術において、筐体の内壁面を支持する補強部材に換気ダクトの機能を兼ねさせる構造は、補強部材を必要とする畜舎には好適であるが、筐体のみで強度が足りるような畜舎の場合には、換気構造としては補強部材が比較的大型の部材となる分、製作コストが高くなり、組み付けにも手間がかかるという問題がある。
【０００６】
また、特許文献２に記載の技術は、含酸素気体を槽の底部に溜まった汚水内に供給して水中曝気を行う構造であることから、含酸素気体を送気するブロワとして高圧・高出力仕様のものが必要となり、ブロワの製品コストやランニングコスト（ブロワの消費電力）が嵩みやすいという問題がある。
【０００７】
本考案は以上のような課題を解決するために創作されたものであり、畜舎内の下方空間の換気構造を低コストで実現できる畜舎を提供することを目的としている。
【課題を解決するための手段】
【０００８】
前記課題を解決するため、本考案は、樹脂製の筐体と、下方に糞尿溜め空間が形成されるように前記筐体内に水平状に設置され、家畜の糞尿の落下孔を形成した家畜載置用の床材と、前記筐体の上部に取り付けられ、舎内の空気を外部に排出する換気扇と、を備えた畜舎であって、一端が前記糞尿溜め空間に臨み、他端が前記換気扇に臨む換気管を設けたことを特徴とする。
【０００９】
本考案によれば、糞尿から発生して糞尿溜め空間に淀みやすい硫化水素ガスやアンモニアガスなどが、換気扇による負圧によって換気管に吸い込まれ、換気扇を通して外部に排気される。部材は形状の簡単な換気管のみで済むために構造が簡単となり、換気扇を利用するために、経済的で組み付け性に優れた換気構造となる。
【００１０】
また、本考案は、舎内側の壁面において、前記換気扇を囲うとともに狭小の開口部を有した囲い空間を設けてこの囲い空間における空気の流れを速くし、前記換気管の他端を前記囲い空間に臨ませたことを特徴とする。
【００１１】
本考案によれば、換気扇によって舎内側から舎外側に流れる空気は、狭小の開口部を通過することで囲い空間における流速が速くなるので、換気管の他端における負圧も大きくなり、糞尿溜め空間からの硫化水素ガスやアンモニアガスの吸い込み効率が向上する。
【００１２】
また、本考案は、前記囲い空間の開口部の開口面積を調節可能な調整板を着脱自在に設けたことを特徴とする。
【００１３】
本考案によれば、換気管の吸い込み量を容易に変更することができ、家畜の収容数や季節などに応じて適宜に見合った吸い込み量に変更することができる。
【００１４】
また、本考案は、前記換気管は樹脂製からなり、前記糞尿溜め空間から畜舎の外部を迂回して前記換気扇に臨むように配管されていることを特徴とする。
【００１５】
本考案によれば、換気管を樹脂製とした場合に、豚などの家畜が換気管を齧るという問題を回避できる。
【００１６】
また、本考案は、汚水を浄化する濾材層と、前記濾材層の上方に設けられ、前記濾材層に汚水を散水する散水装置とを内蔵した浄化処理室を有し、前記濾材層を通過して槽の底部に溜まった汚水を前記散水装置まで循環送水する構成からなる汚水処理槽であって、槽の筐体には、前記濾材層の上方に位置する上部ダクト口と、前記濾材層の下方でかつ槽の底部に溜まった汚水の水面よりも上方に位置する下部ダクト口とを介して前記浄化処理室に連通し、ダクトファンを内蔵したダクト通路が画成され、前記ダクトファンにより前記浄化処理室と前記ダクト通路との間で循環送気して汚水を好気処理する構成の汚水処理槽が並設されることを特徴とする。
【００１７】
本考案によれば、槽の底部に溜まった汚水の上方で、散水される汚水に対して空気を循環送気する構造のため、水中曝気のように高圧・高出力仕様のブロワを要することなく、低仕様の安価なファンでダクトファンを構築できる。
【００１８】
また、本考案は、前記浄化処理室において空気を前記濾材層の下方から上方へ流すように循環送気することを特徴とする。
【００１９】
本考案によれば、落下してくる汚水に対して空気の流れが逆となるので、好気処理効率が向上する。
【００２０】
また、本考案は、前記浄化処理室は、縦置きで使用される円筒筐体の内部空間から構成され、前記ダクト通路を形成するダクト筐体は、前記円筒筐体が横置きされた際に転がらないように前記円筒筐体の位置決め台座として機能することを特徴とする。
【００２１】
本考案によれば、円筒筐体をトラックやトレーラーの荷台に横置きに載せて輸送するときなどにおいて、ダクト筐体が円筒筐体の位置決め台座として機能し、搬送時の汚水処理槽の安定性が確保される。
【考案の効果】
【００２２】
本考案によれば、畜舎内の下方空間の換気構造を低コストで実現できる。また、畜舎に並設した汚水装置槽において、槽の底部に溜まった汚水の上方で、散水される汚水に対して空気を循環送気する構造のため、低仕様の安価なファンでダクトファンを構築でき、送気処理に関する構成部品の製品コストやランニングコストの低減が図れる。
【考案を実施するための最良の形態】
【００２３】
図１は本考案を適用した畜舎の一例を示す外観斜視図である。畜舎６１は、筒軸方向が横方向となるように設置された、閉断面で一定形状断面の筒状筐体６２を主な外郭部材として構成されており、両端は円板形状の側壁６３によって閉塞されている。畜舎６１内には子豚などが収容される。筒状筐体６２は例えば断面円形を呈した円筒部材として構成される。断面円形の筒状筐体６２を地面に載置するに当たっては、下部周りを地中に埋めてもよいし、筒状筐体６２の下部に、筒状筐体６２の姿勢を維持する取り付け台座６４を形成してもよい。
【００２４】
筒状筐体６２の寸法は、収容する家畜数にもよるが、例えば子豚５０〜１００頭程度を収容する場合、外径約２．５メートル、長さ約１０メートル程度とする。筒状筐体６２は樹脂製であり、その板厚としては、例えば数ミリメートル〜十数センチメートル程度である。また、筒状筐体６２の内壁面は特に、糞尿がこびり付きにくいように鏡面状に形成されている。
【００２５】
樹脂製の筒状筐体６２の具体例としては、ＦＲＰ（繊維強化プラスチック）パイプが好適である。ＦＲＰパイプとしては、ガラスロービングに樹脂を含浸させながら型に巻きつけて成形する、いわゆるフィラメントワインディング製法で製造したものを用いることができる。この場合、いわゆる型の外側に巻きつける外巻き式で製造されたものでもよいし、型の内側に巻きつける内巻き式で製造されたものでもよい。また、筒状筐体をＦＲＰパイプから構成する場合、前記したフィラメントワインディング製法によるものの他に、金型に半硬化状態のＦＲＰシートを巻きつけてパイプ状に成形する、いわゆるシートワインディング製法で製造されたものを使用することもできる。側壁６３もＦＲＰ等の樹脂材から構成することが望ましい。筒状筐体６２をＦＲＰパイプから構成することで安価で高強度の筐体となる。
【００２６】
筒状筐体６２の内部の下方には家畜載置用の床材６５が水平状に設置され、例えば、筒状筐体６２の内壁面下端から５０〜８０センチメートル程度上方に設置される。床材６５は、概ね筒状筐体６２の内部全長にわたって設置されており、筒状筐体６２の内部空間を上方の家畜収容空間６６と下方の糞尿溜め空間６７とに区画する。床材６５には、家畜の糞尿を糞尿溜め空間６７に落下させるために落下孔が全面にわたって形成されている。床材６５の具体例としてはスノコや打抜き金網等であり、そのスリットや網目が前記落下孔に相当する。家畜収容空間６６には清掃時や給餌時に人が入るので、床材６５から筒状筐体６２の断面中央上端までの室内高さは１．７メートル以上であることが好ましく、１．８メートル程度以上であることがより好ましい。これにより、腰をかがめることなく清掃等を行えるので、畜舎６１内における諸作業の利便性が向上する。
【００２７】
各側壁６３の中央部には人が出入り可能な開閉ドア６８が取り付けられ、その上部には、舎内の空気を外部に排出する換気扇６９（図２）が取り付けられている。符号７０は防雨カバーである。このように換気扇６９は筒状筐体６２の上部に設けられているため、寒気に特に弱い子豚に対して換気扇６９で発生する風の流れが直接当たることはない。
【００２８】
換気扇６９の取り付け周りの構造について具体的に説明する。図２は畜舎の一端側周りの側断面図であり、（ａ）は換気管７４の一端口を側壁６３付近に位置させた場合、（ｂ）は換気管７４を床材６５の下方で延設させた場合を示す。また、図３は舎内側から見た換気扇６９周りの正面図である。
【００２９】
側壁６３の上部には、換気扇６９を囲うとともに狭小の開口部７１を有した囲い空間７２が設けられている。側壁６３の上部は局部的に外方に突設されており、この突設された空間が囲い空間７２となる。囲い空間７２の開口部７１は狭小となっており、換気扇６９によって舎内側から舎外側に流れる空気は、狭小の開口部７１を通過することで囲い空間７２における流速が速くなる。
【００３０】
符号７４は、一端が床材６５よりも下方に位置する糞尿溜め空間６７に臨み、他端が換気扇６９に臨む換気管を示す。換気管７４は例えば樹脂製からなり、特にＦＲＰが好適である。換気管７４を樹脂製とした場合、図４に示すように換気管７４を家畜収容空間６６に配管すると豚などの家畜が換気管７４を齧るおそれがある。そのため、換気管７４は、図１や図２に示すように、糞尿溜め空間６７から一旦、畜舎１の外部を迂回して換気扇６９、つまり囲い空間７２に臨むように配管することが望ましい。換気管７４の他端は例えば図３に示すように囲い空間７２の内壁面７３を通して囲い空間７２内に臨む。
【００３１】
図２（ａ）に示すように、換気管７４の一端はその開口部が側壁６３の近傍に位置するようにしてもよいし、図２（ｂ）に示すように、換気管７４を糞尿溜め空間６７で筒状筐体６２の軸方向に沿って延設させ、間隔的に吸入口７５を複数形成して、これら吸入口７５から硫化水素ガスやアンモニアガスなどを含む空気を換気管７４に流すようにしてもよい。
【００３２】
囲い空間７２における空気の流速は開口部７１の開口面積に依存し、開口面積を小さくすれば流速が上がり、大きくすれば流速が下がる。したがって、この流速が調整可能となるように、囲い空間７２の開口部７１にはその開口面積を調節可能とする調整板７６を着脱自在に設ける構成とすることが望ましい。図３に仮想線で示すように、調整板７６は例えば矩形平板部材からなり、複数の位置調整孔７７を有しており、適宜な位置調整孔７７を通して螺子７８で側壁６３に固定することで所望の開口面積が得られる。勿論、螺子止め方式に限られず、スライド方式などを採用することも可能である。
【００３３】
以上のように、一端が糞尿溜め空間６７に臨み、他端が換気扇６９に臨む換気管７４を設ければ、糞尿から発生して糞尿溜め空間６７に淀みやすい硫化水素ガスやアンモニアガスなどが、換気扇６９による負圧によって換気管７４に吸い込まれ、換気扇６９を通して外部に排気される。部材は形状の簡単な換気管７４のみで済むために構造が簡単となり、換気扇６９を利用するために、経済的で組み付け性に優れた換気構造となる。なお、換気扇６９の個数は複数あってもよく、換気管７４の個数も複数あってもよい。
【００３４】
また、舎内側の壁面において、換気扇６９を囲うとともに狭小の開口部７１を有した囲い空間７２を設けてこの囲い空間７２における空気の流れを速くし、換気管７４の他端をこの囲い空間７２に臨ませる構成とすれば、換気扇６９によって舎内側から舎外側に流れる空気は、狭小の開口部７１を通過することで囲い空間７２における流速が速くなるので、換気管７４の他端における負圧も大きくなり、糞尿溜め空間６７からの硫化水素ガスやアンモニアガスの吸い込み効率が向上する。
【００３５】
さらに、囲い空間７２の開口部７１の開口面積を調節可能な調整板７６を着脱自在に設ければ、換気管７４の吸い込み量を容易に変更することができ、家畜の収容数や季節などに応じて適宜に見合った吸い込み量に変更することができる。
【００３６】
開口部７１と調整板７６の変形例について図５および図６を参照して説明する。図５は開口部７１周りの構造を示す分解斜視図、図６は調整板７６の作用説明図である。側壁６３の上部と筒状筐体６２の一端の上部はそれぞれ切り欠かれて互いに連なる開口部７１ａ、７１ｂが形成されている。この開口部７１ａ、７１ｂを覆うように、換気扇６９を取り付けたダクト筐体７９が側壁６３の上部と筒状筐体６２の一端の上部の各外側に取り付けられ、その内部空間が囲い空間７２を構成する。
【００３７】
舎内側においては、側断面視Ｌ字型を呈した調整板７６が上下に移動自在に設けられている。なお、上下移動した際の固定方法は、図３で説明したように、適宜の位置調整孔を通して螺子で側壁に固定するなど公知の構造が採られる。調整板７６は、鉛直板部７６ａと上板部７６ｂとを有しており、鉛直板部７６ａには矩形状の開口部７６ｃが形成されている。上板部７６ｂは、上昇した際に開口部７１ｂを塞ぐように筒状筐体６２の内周の曲率半径と同じに湾曲形成されている。
【００３８】
図６（ａ）に示すように、調整板７６を下降させた状態では、開口部７１ａと開口部７６ｃとが連通し、かつ開口部７１ｂが開放されるために、舎内の空気が開口部７１ａ、７１ｂの両方から囲い空間７２に流れることになり、囲い空間７２における空気の流速は低速となる。これにより、換気管７４の端口における負圧も小さくなって、硫化水素ガスやアンモニアガスの吸い込み量が抑えられる。
そして、調整板７６を上昇させると、上板部７６ｂが筒状筐体６２に近づくことで開口部７１ｂへの流路が次第に狭まり、図６（ｂ）に示すように、最も上昇させた状態では、開口部７１ｂが上板部７６ｂによって閉じられて、開口部７１ａと開口部７６ｃとが連通するのみとなる。したがって、囲い空間７２に臨む開口部の開口面積が小さくなり、囲い空間７２における空気の流速は高速となる。これにより、換気管７４の端口における負圧が大きくなって、硫化水素ガスやアンモニアガスの吸い込み量が増大する。
【００３９】
このように、側壁６３の上部と筒状筐体６２の一端の上部にそれぞれ互いに連なる開口部７１ａ、７１ｂを形成したうえで、調整板７６としては、開口部７６ｃを形成した鉛直板部７６ａと上板部７６ｂとを有したＬ字型形状とし、調整板７６を下降させた際には、開口部７１ａ、７１ｂの両方を開口させ、調整板７６を最も上昇させた際には、開口部７１ｂを閉じて開口部７１ａのみを開放させる構造とすれば、開口部における開口面積の増減幅を増やすことができる。したがって、硫化水素ガスやアンモニアガスの吸い込み量の設定幅が大きくなり、家畜の収容数や季節などに応じて一層最適な吸い込み量に設定することができる。
【００４０】
また、図７は筒状筐体６２の部分断面図である。断熱効率を高めるために筒状筐体６２は多層構造とすることが望ましく、図７に示した例は、内側のＦＲＰなどの樹脂層８１と外側のＦＲＰなどの樹脂層８２との間に、断熱材層として、内側寄りから複数枚の発泡ポリエチレンシート８３、ポリエチレンシートとアルミニウム箔とを重ね合わせた断熱シート８４が形成されている。断熱シート８４におけるアルミニウム箔は、紫外線カットなどに有効となる。
【００４１】
次いで、畜舎６１に並設される汚水処理槽１について説明する。図８は汚水処理槽１を含む汚水処理システムの構成図である。図８に示す汚水処理システムは、例えば畜舎６１から排出される糞尿などの汚水を一時的に溜めて汚水の流量を調整する流量調整槽２と、流量調整槽２から送水された汚水を内蔵のスクリーンで濾過するスクリーン槽３と、スクリーン槽３で濾過した汚水を計量する計量槽４と、計量槽４から所定量の汚水が流入する汚水処理槽１と、スクリーン槽３や汚水処理槽１などから送泥される汚泥を貯留する汚泥貯留槽５と、流量調整槽２、汚泥貯留槽５および汚水処理槽１内に空気を供給するブロワ６と、を備える。
【００４２】
流量調整槽２の底部にはブロワ６に接続した散気管７が設けられ、内部の汚水が曝気処理される。散気管７は、気泡を発生させる小孔が多数穿孔された公知のものである。流量調整槽２内の汚水は水中ポンプからなる調整ポンプ８により管路９を介してスクリーン槽３に送水される。
【００４３】
スクリーン槽３では、汚水中に含まれる形状の大きな濁質などをスクリーンにより捕捉する。スクリーンで濾過された汚水は管路１０を介して計量槽４に送水され、濾過された汚水のうちで汚泥などの沈殿物は管路１１を介して汚泥貯留槽５に送泥される。計量槽４は、管路１２を介して汚水処理槽１に所定量の汚水を流入させる機能を担い、オーバーフロー分は管路１３を介して流量調整槽２に返送される。
【００４４】
汚水処理槽１の底部に溜まった汚泥などの沈殿物は管路１４を介して汚泥貯留槽５に送泥される。なお場合によっては、図８に示すように、汚泥貯留槽５に加えて流量調整槽２に送泥してもよい。汚泥貯留槽５の底部にはブロワ６に接続したディフューザ１５が設けられ、内部の汚泥が曝気処理される。ディフューザ１５は、気泡を発生させる小孔が多数穿孔された公知のものである。汚泥貯留槽５内で汚泥と分離した上澄み水は脱離液として管路１６を介して流量調整槽２に返送される。
【００４５】
なお、最終的な汚水処理は汚水処理槽１内で行うため、散気管７やディフューザ１５による曝気処理の空気量はさほど要せず、したがって、ブロワ６としては低出力タイプなどの廉価なもので足りる。
【００４６】
以下、汚水処理槽１について詳細に説明する。汚水処理槽１は、汚水を浄化する濾材層２１と、濾材層２１の上方に設けられ、濾材層２１に汚水を散水する散水装置２２とを内蔵した浄化処理室２３を有し、濾材層２１を通過して槽の底部に溜まった汚水を散水装置２２まで循環送水する構成からなる。
【００４７】
図９〜図１１はそれぞれ汚水処理槽１の外観斜視図、平断面図、正面図である。図８ないし図１１のいずれかを参照して、浄化処理室２３は、例えば縦置きで使用される有蓋有底の円筒筐体２４の内部空間から構成される。円筒筐体２４は例えばその下部周りが地中に埋設される。円筒筐体２４としては図１に示した筒状筐体６２と同じものを利用することができる。
【００４８】
円筒筐体２４の径寸法は、搬送時においてトラックやトレーラーの荷台に載せることを考慮して外径約２．５メートル程度以下であることが好ましい。円筒筐体２４は耐腐食性などの点から樹脂製であることが好ましい。樹脂製の円筒筐体２４の具体例としては、図１に示した筒状筐体６２と同様、ＦＲＰ（繊維強化プラスチック）パイプが好適である。
【００４９】
図８では、浄化処理室２３において濾材層２１を間隔を空けて上下に３段設けた場合を示している。充填する濾材としては、公知のプラスチック製の濾材、ストローまたはパイプ類（径５〜１５ｍｍ程度、長さ５〜２０ｍｍ程度）の濾材、網状板濾材、毛状球体濾材などの他に、貝殻などが挙げられる。特にホタテの貝殻はＰＨの低下防止の効果があるので有効である。これらの濾材に空気が通過すると、濾材表面の好気性のバクテリア、微生物が繁殖、分解を繰り返し、汚水の浄化が行われる。濾材は、空気および水を通過させる貫通孔が複数穿設され、浄化処理室２３内に水平状に設けられた濾材載置部材（図示せず）に載置される。なお、各濾材層２１の下方には、空気の高圧噴射により濾材を洗浄するため、複数の噴射孔が穿設された洗浄管２５が設けられている。洗浄管２５は前記したブロワ６に連結される。
【００５０】
浄化処理室２３の底部に溜まった汚水は、オーバーフロー管の機能を有する放流管２６により槽外部に放流され、これにより汚水面が一定水位となる。なお、本形態では浄化処理室２３の底部においてブロワ６に接続したディフューザ２７が設けられ、汚水が水中曝気処理される。ディフューザ２７は、気泡を発生させる小孔が多数穿孔された公知のものである。本考案では、空気をダクトファンにより循環送気して好気処理する構成のため、このディフューザ２７による水中曝気処理は補助的なものであり、したがってディフューザ２７からの空気量はさほど要せず、ブロワ６としては低出力タイプなどの廉価なもので足りる。
【００５１】
さて汚水処理槽１は、円筒筐体２４に加えて、ダクト通路２８を形成するダクト筐体２９を有する。具体的には、濾材層２１の上方（最上段の濾材層２１の上方）に位置する上部ダクト口３０と、濾材層２１の下方（最下段の濾材層２１の下方）でかつ汚水処理槽１の底部に溜まった汚水の水面よりも上方に位置する下部ダクト口３１とを介して浄化処理室２３に連通するダクト通路２８が画成される。上部ダクト口３０および下部ダクト口３１は円筒筐体２４の周面に穿孔された矩形開口部からなる。
【００５２】
ダクト筐体２９は、円筒筐体２４の全長にわたって平面部を有するように形成されており、円筒筐体２４が横置きされた際に転がらないように円筒筐体２４の位置決め台座として機能する。これにより、円筒筐体２４をトラックやトレーラーの荷台に横置きに載せて輸送するときなどにおいて、円筒筐体２４の転がりが防止され、搬送時の汚水処理槽１の安定性が確保される。ダクト筐体２９も耐腐食性などの点から樹脂製であることが好ましく、ＦＲＰ（繊維強化プラスチック）が好適である。
【００５３】
ダクト筐体２９内は、円筒筐体２４の長手方向に沿った２枚の仕切り板３２、３３によって、円筒筐体２４の長手方向に沿う３つの通路に仕切られており、この３つの通路によりダクト通路２８が構成される。一方の端の通路を第１通路２８Ａ、この第１通路２８Ａと仕切り板３２を介して隣接する通路を第２通路２８Ｂ、この第２通路２８Ｂと仕切り板３３を介して隣接する通路を第３通路２８Ｃというものとすると、図１１に示すように、第１通路２８Ａの上部に上部ダクト口３０が位置し、第３通路２８Ｃの下部に下部ダクト口３１が位置している。そして、仕切り板３２の下部には、第１通路２８Ａと第２通路２８Ｂとを連通する矩形状の連通口３４が形成され、仕切り板３３の上部には、第２通路２８Ｂと第３通路２８Ｃとを連通する矩形状の連通口３５が形成されている。
【００５４】
ダクト筐体２９は、第１通路２８Ａと第３通路２８Ｃとが形成される部分については、円筒筐体２４の上端から下端までにわたり延設されているが、第２通路２８Ｂが形成される部分については、円筒筐体２４の上端から、円筒筐体２４の下端よりも上方に位置する底板３６までとなっている。第１通路２８Ａと第３通路２８Ｃの下部にはそれぞれ浄化処理室２３と連通する矩形状の汚水連通口３７、３８が形成されており、この汚水連通口３７、３８を通して第１通路２８Ａと第３通路２８Ｃには汚水が流入している。その汚水面の高さはもちろん浄化処理室２３内の汚水面と同位であり、底板３６よりも低位に設定されている。
【００５５】
第３通路２８Ｃの下部には水中ポンプからなる散水ポンプ３９が設置され、汚水は管路４０を介して散水装置２２に送水される。散水装置２２は、複数の散水用小孔を有した公知の装置であり、汚水を下方の濾材層２１に向けて落下散水する機能を有する。そして、第３通路２８Ｃには、取り付けブラケット４１（図１１）を介してダクトファン４２が取り付けられている。
【００５６】
以上の構成からなる汚水処理槽１の作用について説明すると、先ず、槽の底部に溜まった汚水は散水ポンプ３９により散水装置２２に送水される。散水装置２２から濾材層２１に向けて散水が行われ、濾材層２１を通過して滴下した汚水は再び槽の底部に溜まり、これにより汚水の循環送水が構成される。
【００５７】
そして、ダクトファン４２の作動により、ダクト通路２８においては空気が汚水面の上方で第１通路２８Ａ、第２通路２８Ｂ、第３通路２８Ｃの経路で流れ、浄化処理室２３においては空気が下部ダクト口３１から流入して上方に流れ、濾材層２１を通過した後、上部ダクト口３０からダクト通路２８に流れる。落下してくる汚水に対して空気を循環送気することにより汚水を効率良く消臭することができる。また、濾材層２１に空気を循環送気することで、濾材表面の好気性のバクテリア、微生物の繁殖、分解が活性化し、汚水の好気処理効率が向上する。
【００５８】
本考案によれば、槽の底部に溜まった汚水の上方で、散水される汚水に対して空気を循環送気する、いわゆる空中曝気となる構造のため、水中曝気のように高圧・高出力仕様のブロワを要することなく、低仕様の安価なファンでダクトファン４２を構築できる。
【００５９】
また、空気の流れを逆向き、すなわち浄化処理室２３において空気を濾材層２１の上方から下方へ流すように循環送気することもできるが、本形態のように濾材層２１の下方から上方へ流すように循環送気すれば、落下してくる汚水に対して空気の流れが逆となるので、好気処理効率が一層向上する。
【００６０】
以上、汚水処理槽１の好適な形態について説明した。汚水処理槽１を用いる汚水処理システムとしては様々なシステムが考えられる。例えば、図１２は、図８に示したシステムに対し、放流管２６を介して汚水処理槽１から放流された水をさらに嫌気処理槽５１で処理する例を示している。嫌気処理槽５１は、送気循環機能を有していない点を除けば、汚水処理槽１と略同一の構造である。すなわち、嫌気処理槽５１は、汚水を浄化する濾材層と、濾材層の上方に設けられ、濾材層に汚水を散水する散水装置とを内蔵した浄化処理室２３を有し、濾材層を通過して槽の底部に溜まった汚水を散水装置まで循環送水する構成からなる。浄化処理室２３は円筒筐体２４の内部空間から構成される。円筒筐体２４としては汚水処理槽１のものと同一形状のものを利用すれば製造コストを低減できる。なお、汚水処理槽１と嫌気処理槽５１との間の管路、および嫌気処理槽５１の放流管２６の途中には、汚泥などの沈殿物を貯める沈殿槽４３、４４が介設され、沈殿物は汚泥貯留槽５や流量調整槽２に送泥される。
【００６１】
図１２に示すシステムによれば、汚水処理槽１での好気処理後に嫌気処理槽５１で嫌気性のバクテリア、微生物によって嫌気処理が行われ、汚水の浄化効率が一層向上する。
【００６２】
また、ブロワ６から送気される空気としては、外気に限らず、例えば畜舎６１内から送られる糞尿の臭気を含んだものであってもよい。
【図面の簡単な説明】
【００６３】
【図１】畜舎の外観斜視図である。
【図２】畜舎の一端側周りの側断面図であり、（ａ）は換気管の一端口を側壁付近に位置させた場合、（ｂ）は換気管を床材の下方で延設させた場合を示す。
【図３】舎内側から見た換気扇周りの正面図である。
【図４】換気管を家畜収容空間に配管した場合の側断面図である。
【図５】開口部周りの構造を示す畜舎の分解斜視図である。
【図６】調整板の作用説明図である。
【図７】筒状筐体の部分断面図である。
【図８】汚水処理槽を含む汚水処理システムの構成図である。
【図９】汚水処理槽の外観斜視図である。
【図１０】汚水処理槽の平断面図である。
【図１１】汚水処理槽の正面図である。
【図１２】汚水処理槽と嫌気処理槽とを含む汚水処理システムの構成図である。
【符号の説明】
【００６４】
１    汚水処理槽
２１    濾材層
２２    散水装置
２３    浄化処理室
２４    円筒筐体
２８    ダクト通路
２９    ダクト筐体
３０    上部ダクト口
３１    下部ダクト口
４２    ダクトファン
６１    畜舎
６２    筒状筐体
６５    床材
６６    家畜収容空間
６７    糞尿溜め空間
６９    換気扇
７１    開口部
７２    囲い空間
７４    換気管
７６    調整板
【図１】
0003148455.tif 000003
【図２】
0003148455.tif 000004
【図３】
0003148455.tif 000005
【図４】
0003148455.tif 000006
【図５】
0003148455.tif 000007
【図６】
0003148455.tif 000008
【図７】
0003148455.tif 000009
【図８】
0003148455.tif 000010
【図９】
0003148455.tif 000011
【図１０】
0003148455.tif 000012
【図１１】
0003148455.tif 000013
【図１２】
0003148455.tif 000014